(57)【要約】      （修正有）【課題】木材の加工を減らし、断面欠損を少なく、加工工程や組立工数を同時に削減し、長期耐用性と耐震性を飛躍的に向上させるラーメン構造を提供する。【解決手段】木材の長方形断面の長辺側を架構軸方向に配置する柱を２本の複合梁により挟み込み、交差摩擦面を広げ複数ボルト締めする。【選択図】図１
2013189840.tif 000002
【特許請求の範囲】
【請求項１】
木材の長方形断面（２〜３対１程度）の長辺側を架構軸方向に配置する柱を２本の複合梁（上下弦材と同断面幅で梁成の１．５〜２倍幅の肘木（ウエブ）で形成）により挟み込み、交差摩擦面を広げ複数ボルト締めする一方向純剛性の架構。
【請求項２】
請求項１架構の柱と梁の間にＴ型叉は十字型の接合部鋼板を挟み込み一体的にボルト締めることで摩擦力の増大を創出する架構軸一方向の木造架構。
【請求項３】
請求項２構造の柱と梁の外側にも同サイズのＴ型叉は十字型の接合部鋼板を加えて共に複数ボルト締めする架構軸一方向の木造架構。
【請求項４】
請求項２構造の柱と梁の接合面に食い込む突起部を鋼板両面に具備し摩擦力を高める部品を挟む構造。
【請求項５】
請求項４構造の突起部付き鋼板に変えて高減衰ゴム板叉は、摩擦増大片を混入した高減衰ゴム板を挟み込む構造。
【請求項６】
請求項４構造の突起部を具備した鋼板２枚の間に高減衰ゴム板を挟み込む構造。
【請求項７】
請求項６の接合構造の高減衰ゴム板をステンレス板に変えて挟み込む構造。
【請求項８】
請求項３構造の柱と上下弦材を＜型鋼材とプレートによりボルト締、上下弦材固定プレートとの間に高減衰ゴムを介する制震装置（図−３）。
【請求項９】
請求項１構造の複合梁に直交する床梁を上下弦材間を貫通させ持出す梁構造。
【発明の詳細な説明】
【技術分野】
【００１】木造の純剛性架構に制震機能を複合する多機能型ラーメン構造である。
【背景技術】
【００２】従来型軸組構造は、建物完成時の耐震壁が完成後に空間変更のために撤去・位置替えされ、その後の震災被害も多く建物寿命の長期化を目指す時間経過による用途・空間利用の可変性との矛盾もある。また、地盤液状化による従来型基礎並びに軸組構造修復性の煩雑さによる経済的負担も大きい。【００３】更に、新たな時代に負けない建築空間の魅力の創出により建築物の長寿命化・財産化に向けた可変性によるライフサイクルコストの削減が不可欠である。【００３】しかし、従来の木造軸組工法の多くは、木材をピン接合し筋交いや構造合板による剛性面を造る手法で集成大断面に鋼板やボルトの複合化で剛性架構の模索が進んでいるが、建物の様々な機能を構造以外の機能や材料・加工が混在重複し、構造の安全性を越えや全体解の開かれるシステムが必要な建設分野である。【００４】これらに適応する新たな単純強固な構造形式づくりを通じて間取変更や用途変更に備える建材の一部交換機能が望まれる。また、新たな木造建築空間の魅力化、技術進歩による建築物の大型化、機械化並びに木造技術者の減少対策、構造の単純化と共通化、鋼材との複合構造も欠かせず、繰り返す余震に備える制震機能も標準化にもコスト削減と建築の長寿命化に応えるシステム的な技術が望まれている。
【発明の概要】
【発明が解決しようとする課題】
【００５】住生活環境の安全、可変、長期持続、生産性など総合的合理性を創出する建物の価値・魅力などの包括的な課題解決の核となる要素や技術分野間のマトリックスな関連性を発揮する基幹的な構造的技術要素と周辺機能の整合性の解明である。【００６】第一に、木材の加工抑制と木材特質を引き出す新たな構造構成を創出する。
第二に、あらゆる国・地域に適応できる明快で単純な構造構成を創出する。
第三に、共通的基幹構造と多様・可変・長期持続性により魅力を創出する。
【課題を解決するための手段】
【００８】木材の加工抑制には接合金物を減らしボルト締めにより断面欠損を少なく加工工程や組立工数を同時に削減し素材増を通じて長期耐用性と耐震性を飛躍的に向上させる。主たる構造応力は構造材の接合摩擦力を活用して繰り返す余震に応える制震性を引き出す。応力の大きさに合わせて接合面積を広め摩擦力を高める。ボルト締、部材間ジベル、制震機能を組み込み広い無柱空間を創出する。【００９】また、構造架構と壁・床面構成の多様性を分離して建築の空間魅力を高める。
【発明の効果】
【０１０】柱・梁部材の加工はボルト穴が大半であり、柱・梁材の複合化や大型化、接合金物の単純化、応力並びにコスト対応、建設の機械化、構造の長寿命化が進む。【０１１】また、建築空間を構成する壁パネルの多様・多機能性の発揮や開口面を広める多用途建築物への応用が広まる。また、これらが安全性・生産性・技能工対策・品質・トータルコストの総合的合理性が構築できる。また、多様性から建物の多様性やグレードに適応するコストコントロールや収益構造の創出機会が高まる。【０１２】多様・可変・長期持続・経済性・空間の魅力化の総体として財産性に発展し街並みの文化蓄積にも期待できる新たな木造建築創出の基幹性を発揮できる。
【図面の簡単な説明】
【図１】（１）は、柱（長方形）と梁（合成梁）の構成並びに、柱と梁の接合平面図  （２）は、柱と梁の接合断面図・姿図（合成梁の上下弦材と肘木の関係）
【図２】（１）は、三角型の制震装置（三角形の底辺を柱に、頂点を梁連結部に）  （２）は、柱と梁の回転摩擦接合面間に（鋼板・高減衰ゴム・ＳＡＳ）を挟む図
【図３】（１）は、長方形柱と管柱を十字型にした複合柱の柱脚金物（アイソメ図）  （２）は、同  平面図
【発明を実施するための形態】
【０１３】木造の柱と梁による剛性ラーメン構造を１２０角・１５０角など芯持材原木の利用が可能な構成を基本に想定し、森林育成や産業的経営状況などに適応選択できる資源活用を意図し、集成大断面材の可能な木組み構成としている。
【０１４】柱と梁の摩擦接合剛性を確保するために、柱は角材３本程度をボルト締めにより架構軸方向に並べる。
【０１５】梁は角材を上下弦材として柱との接合位置に肘木を介して梁成を構築し柱間隔を限定する構造規模と形式を想定して梁成を７０センチ程度にすれば０．２５ｍ２摩擦面が得られる。
【０１６】上下弦材と肘木をボルト締めして材積を抑制して応力対応する断面を確保。
【０１７】純ラーメン構造を目指し、柱を２本の合成梁で挟み込み摩擦面を２倍確保。
【０１８】梁の中空部分に小梁を貫通して持出梁を安定させ建築空間の魅力化を促進。
【０１９】摩擦合成を長方形柱材と複合梁により柱と梁の摩擦面を広め単純なボルト締めにより簡単な技術で木材の特性を素朴に使い剛性を発揮する架構。
【０２０】摩擦剛性を更に高めるジベル・Ｔ型十字型プレートを複合する。
【０２１】制震機能の付加も必要であり、摩擦面に高減衰ゴム・ステンレス板の複合体により木材特性を活かせ接合面の機能維持向上に役立てる。
【０２２】大きな応力を受ける梁を安定させる支持管柱を複合し十字型の柱断面創出。
【０２３】柱脚金物は十字型合成柱の中心を十字型のスリットに適合させる。
【実施例】
【０２４】図に示す通りの、長方形柱を上下弦材による複合型梁の肘木部を含む梁側面を広めて確保し、摩擦接合を利用する剛構造である。【０２５】また、柱と梁を複数のボルトの煎断力も活かしている。【０２６】摩擦力を強化する鋼板の挟み込み、ジベル機能、減衰機能を付加している。【０２７】応力を大型の柱に集約して６０ｍ２の２階建て（１２０ｍ２）規模の空間を少ない柱箇所で基礎の確実に応力を伝える仕組みを構築する。【０２８】完全純ラーメン構造を使う建築物の床・壁は、区画と意匠性の創作性を広げる。
【産業上の利用可能性】
【０２８】何時までも使える建築物の長寿化を担保できる構造は建築の空間の可変性であり、建設時の多様性と共通性が同時に達成できる骨組みが求められる。【０２９】建築的価値はこれからの成熟社会では、本物志向や町並みも連携する機能が必要である。【０３０】震災などからの復旧が経済的に行える構造的機能が重視されることになる。【０３１】安全性、生産性、持続性、経済性、など消費者と供給者の矛盾解決に貢献。【０３２】多用途建築物に合わせた間取替え用途替えを可能にする耐力壁なしの機能。【０３３】加工組み立てが簡単で専門職不足を補い新たな資源活用と産業雇用の創出。【０３４】木材の締結ボルトを分解できる構造であり移築や部材の再利用が可能である。
震災時の揺れ抑制、復旧に対する経済的負担の抑制になる。
国内森林資源活用と産業的・経済的・雇用的なトータルな政策整合が図れる。
【図１】
2013189840.tif 000003
【図２】
2013189840.tif 000004
【図３】
2013189840.tif 000005